(57)【要約】      （修正有）【課題】豊胸後の乳房の見た目と触感を向上させる乳房用プロテーゼを提供する。【解決手段】乳房用プロテーゼは、第一バッグ１と、複数の第二バッグ２と、複数の第三バッグ３を有する。第一バッグは、第一外膜１１および第一外膜から成る第一空間１２を有し、第一空間の内側には天辺１３および天辺に対応する底辺を有する。第二バッグは、第二外膜２１および第二外膜から成る第二空間２２を有し、複数の第二バッグは天辺の中心から第一空間内に放射線状に設置される。第三バッグは、第三外膜３１および第三外膜から成る第三空間３２を有し、複数の第三バッグは天辺の中心から第一空間内および複数の第二バッグの間に串状に設置される。第一空間、第二空間および第三空間内は充填物５で充填されている。【選択図】図２
0003224441.tif 000002
【実用新案登録請求の範囲】
【請求項１】
乳房用プロテーゼであって、
第一バッグと、複数の第二バッグと、複数の第三バッグを有し、
前記第一バッグは、第一外膜および前記第一外膜から成る第一空間を有し、前記第一空間の内側には天辺および前記天辺に対応する底辺を有し、
前記第二バッグは、第二外膜および前記第二外膜から成る第二空間を有し、前記複数の第二バッグは前記天辺の中心から前記第一空間内に放射線状に設置され、
前記第三バッグは、第三外膜および前記第三外膜から成る第三空間を有し、前記複数の第三バッグは前記天辺の中心から前記第一空間内および前記複数の第二バッグの間に串状に設置され、
前記第一空間、前記第二空間および前記第三空間内は充填物で充填されていることを特徴とする乳房用プロテーゼ。
【請求項２】
前記乳房用プロテーゼは、複数の第四バッグを有し、前記第四バッグは、第四外膜および前記第四外膜から成る第四空間を有し、前記第四バッグはランダムに前記第一空間に充填されることを特徴とする請求項１に記載の乳房用プロテーゼ。
【請求項３】
前記第二バッグはそれぞれ水滴に類似する形状であり、前記水滴に類似する形状の先端は前記天辺の中心に設置し、前記水滴に類似する形状の末端は前記第一空間の底辺に位置することを特徴とする請求項２に記載の乳房用プロテーゼ。
【請求項４】
前記複数の第三バッグは、複数の線状構造体により直列に繋げられることを特徴とする請求項２に記載の乳房用プロテーゼ。
【請求項５】
前記第一外膜、前記第二外膜、前記第三外膜は生体材料から成ることを特徴とする請求項１から請求項４までのいずれかに記載の乳房用プロテーゼ。
【請求項６】
前記第四外膜は生体材料から成ることを特徴とする請求項２に記載の乳房用プロテーゼ。
【請求項７】
前記充填物は食塩水、シリコンおよび生体材料から成る群から選択される１以上のものであることを特徴とする請求項１から請求項４までのいずれかに記載の乳房用プロテーゼ。
【請求項８】
前記食塩水は生理食塩水であることを特徴とする請求項７に記載の乳房用プロテーゼ。
【請求項９】
前記シリコンはシリコンジェルであることを特徴とする請求項７に記載の乳房用プロテーゼ。
【請求項１０】
前記第一バッグの外観はラウンド型またはアナトミカル型であることを特徴とする請求項１から請求項４までのいずれかに記載の乳房用プロテーゼ。
【請求項１１】
前記第一外膜の外側はテクスチャードタイプであることを特徴とする請求項１から請求項４までのいずれかに記載の乳房用プロテーゼ。
【請求項１２】
前記第一外膜の外側はスムースタイプであることを特徴とする請求項１から請求項４までのいずれかに記載の乳房用プロテーゼ。
【考案の詳細な説明】
【技術分野】
【０００１】
本考案は乳房用プロテーゼに関し、特に、本物の乳房を模するための弾力のある大きいバッグと複数の小さいバッグを有し、モジュール化された複数の空間を有する乳房用プロテーゼに関する。
【背景技術】
【０００２】
女性が最も引き起こす可能性のある腫瘤のひとつに乳がんがある。近年、飲食物や生活習慣の変化により、乳がんの発症率が年々増加している。がん細胞の転移を防ぐため、乳房切除術や乳房再建術などの医療行為を選択する乳がん患者もいる。そのため、乳房再建術などの医療への需要が増加し、注目されている。
【０００３】
経済の成長や開放的な社会になるにつれ、美を追求する人が増えることに伴い、現代人の見た目に関する基準も高くなっている。これにより、多くの人が豊胸という選択をし、より良いスタイルを手に入れようとしている。また、乳房の美容整形手術の技術もそれに伴い向上している。
【０００４】
豊胸出術を行う人は、豊胸後の胸の見た目が本物のそれと遜色ない程自然であり、触感も同じであることを望む。本物の乳房は、横たわっている時も立っている時も、自然な水滴状になっており、運動時の揺れは弾性に富み自然である。プロテーゼを入れた乳房の触感はプロテーゼの材質およびインプラント位置に大きく影響を受ける。乳房用プロテーゼは通常、乳腺下または大胸筋下に挿入される。
【０００５】
豊胸に失敗すると、乳房が固くなる、プロテーゼの位置が高すぎる、左右の乳房の大きさや高さが異なる、形が不自然、充填物の漏れ、血種、細菌感染、プロテーゼのずれ、神経の損傷などの後遺症が残り、外部から触った際にプロテーゼのしわの触感があるなどの問題も起こり得る。よって、豊胸術の向上は現代の美容医学において重要なものである。
【考案の概要】
【考案が解決しようとする課題】
【０００６】
豊胸後の乳房の見た目と触感を向上させるため、本考案は、本物の乳房と同様の見た目と触感を持ち、豊胸をした者が生まれ持った本物の乳房と同様のものと感じることのできる乳房用プロテーゼを提供する。従来の乳房用プロテーゼと比べ、本考案の乳房用プロテーゼは、豊胸した者の身体に適応し、見た目に協調性があり、自然で、触感が良く、運動時にも従来の乳房用プロテーゼのように固い球体が揺れている感じがなく、一目で「偽乳」だと認識される虞がない。
【課題を解決するための手段】
【０００７】
本考案の乳房用プロテーゼは、第一バッグと、複数の第二バッグと、複数の第三バッグを有する。前記第一バッグは、第一外膜および前記第一外膜から成る第一空間を有する。前記第一空間の内側には天辺および前記天辺に対応する底辺を有する。前記第二バッグは、第二外膜および前記第二外膜から成る第二空間を有する。前記複数の第二バッグは前記天辺の中心から前記第一空間内に放射線状に設置される。前記第三バッグは、第三外膜および前記第三外膜から成る第三空間を有する。前記複数の第三バッグは前記天辺の中心から前記第一空間内および前記複数の第二バッグの間に串状に設置される。前記第一空間、前記第二空間および前記第三空間内は充填物で充填されている。
【０００８】
好ましい実施形態においては、前記乳房用プロテーゼは複数の第四バッグを有する。前記第四バッグは、第四外膜および前記第四外膜から成る第四空間を有する。前記第四バッグはランダムに前記第一空間に充填される。
【０００９】
好ましい実施形態においては、それぞれの第二バッグは水滴に類似する形状であり、前記水滴に類似する形状の先端は前記天辺の中心に設置し、前記水滴に類似する形状の末端は前記第一空間の底辺に位置する。
【００１０】
好ましい実施形態においては、前記複数の第三バッグは、複数の線状構造体により直列に繋げられる。
【００１１】
好ましい実施例においては、前記第一外膜、前記第二外膜、前記第三外膜および前記第四外膜は生体材料から成る。
【００１２】
好ましい実施形態においては、前記充填物は食塩水、シリコンおよび生体材料から成る群から選択される１以上のものである。
【００１３】
好ましい実施形態においては、前記食塩水は生理食塩水である。
【００１４】
好ましい実施形態においては、前記シリコンはシリコンジェルである。
【００１５】
好ましい実施形態においては、前記第一バッグの外観はラウンド型またはアナトミカル型である。
【００１６】
好ましい実施形態においては、前記第一外膜の外側はテクスチャードタイプである。
【００１７】
好ましい実施形態においては、前記第一外膜の外側はスムースタイプである。
【考案の効果】
【００１８】
従来の乳房用プロテーゼは、一つの大きな袋の中に単一の充填物を詰めたものであり、人体の乳房にインプラントするとその大きな構造が人体と釣り合わず、不自然な外観となり、さらには接触時に固い感触となり、運動時にも不自然な揺れとなることで本物らしさがない。それに対し本考案の乳房用プロテーゼは、本物の乳房の内部構造を模しており、人体の乳房にインプラントした際、外観は自然で、運動時も自然に揺れ、触感も塊感や固さを感じることはなく弾力的で、押しても本物の乳房と同様の柔軟さを持つため、従来の乳房用プロテーゼの欠点を改善することができる。
【図面の簡単な説明】
【００１９】
【図１】人体の乳房を示す側面からの断面図である。
【図２】本考案の乳房用プロテーゼを示す側面からの断面図である。
【図３】本考案の乳房用プロテーゼを示す正面からの断面図である。
【図４】本考案の乳房用プロテーゼを乳房にインプラントした際の側面からの断面図である。
【考案を実施するための形態】
【００２０】
以下、本考案の技術内容を図面に基づいて説明する。なお、これら図面は説明のためのものであるため、実際の比率に従い描かれたものではなく、本考案の技術的範囲を限定するものではない。
【００２１】
以下の実施例は本考案の範囲を限定するものではない。当該考案の技術分野において通常の知識を有する者が小さな改変を加えたとしても、本考案及び対応する請求の範囲を超えるものではない。
【００２２】
図１は、人体の乳房の側面からの断面図である。人体の乳房はヒトの胸部の大胸筋７６および肋骨７９に隣接する前側に位置する。外観上は乳頭７１および乳房の皮膚７２を有する。乳房の内部組織はクーパー靭帯７３を含み、乳腺は乳房内に放射線状に分布する乳管７４を含む。乳管７４は乳腺葉７５とつながっており、大きい脂肪組織７７および小さい脂肪組織７８がランダムに分布している。クーパー靭帯７３は乳房を支える役割を持つ。、乳管７４、乳腺葉７５、脂肪組織７７および７８は乳房内を満たしており、乳房に豊かさ、柔らかさ並びに弾力をもたらす。乳房内のその他部分は神経、血管およびリンパ管が通っている（図示せず）。本考案の乳房用プロテーゼは、乳房の構造を模している。
【００２３】
本考案において「第一外膜１１の外側」とは、乳房内にインプラントした際に、人体に接触する面のことを指す。反対に、「第一外膜１１の内側」とは、第一空間１２を形成する面を指す。
【００２４】
図２および図３はそれぞれ本考案の乳房用プロテーゼ１００を示す側面および正面からの断面図である。本考案の乳房用プロテーゼ１００は、第一バッグ１と、複数の第二バッグ２と、複数の第三バッグ３を有する。第一バッグ１は、第一外膜１１および第一外膜１１から成る第一空間１２を有する。第一空間１２の内側には天辺１３および天辺１３に対応する底辺を有する。第二バッグ２は、第二外膜２１および第二外膜２１から成る第二空間２２を有する。複数の第二バッグ２は天辺１３の中心から第一空間１２内に放射線状に設置される。第三バッグ３は、第三外膜３１および第三外膜３１から成る第三空間３２を有する。複数の第三バッグ３は天辺１３の中心から第一空間１２内および複数の第二バッグ２の間に串状に設置される。第一空間１２、第二空間２２および第三空間３２内は充填物５で充填されている。
【００２５】
複数の第三バッグ３はさらに、複数の線状構造体６により直列に繋げられる。
【００２６】
乳房用プロテーゼ１００はさらに、複数の第四バッグ４を有する。第四バッグ４は、第四外膜４１および第四外膜４１から成る第四空間４２を有する。第四バッグ４はランダムに第一空間１２に充填される。
【００２７】
第一バッグ１は、本物の乳房の形状を模するため、ラウンド型またはアナトミカル型である。従来の乳房用プロテーゼは乳房にインプラントすると球状で不自然な形になるのに対し、本考案の乳房用プロテーゼ１００を乳房にインプラントすると、第一バッグ１が乳房用プロテーゼ１００を本物の乳房に近い外観にし、自然な形を呈することができる。また、第一外膜１１の外側はテクスチャードタイプまたはスムースタイプである。前記テクスチャードタイプの触感はサンドペーパーのようにザラザラしており、インプラント後に乳房の内部組織と多方向に接触するため、被膜拘縮が起こりにくく、豊胸後のマッサージ期間を減らすことができる。スムースタイプはテクスチャードタイプに比べ柔らかく、本物の乳房に近く、運動時にも自然に揺れる。テクスチャータドイプとスムースタイプはそれぞれメリットがあるため、豊胸する者の必要に応じて選択される。
【００２８】
第二バッグ２は水滴に類似する形状である。外観は水滴に似た形を呈しているが、完全な水滴とは異なり、縦に長く、先端２１１および末端２１２を有する。末端２１２の幅は先端２１１より大きく、先端２１１は天辺１３の中心に設定され、末端２１２は第一空間１２の底部に位置し、放射線状に重ねて配列することで、本物の乳房における乳腺（すなわち乳管７４と乳腺葉７５）を模することができる。第二バッグ２の大きさは図に示すとおり均一でもよいし、異なってもよい（図示せず）。従来の乳房用プロテーゼは乳房にインプラントすると塊感が出て固く不自然になるのに対し、本考案の乳房用プロテーゼ１００を乳房にインプラントすると、第二バッグ２が乳房用プロテーゼ１００を本物の乳房に近い触感にし、触ったときや押したときに柔らかくなめらかな曲線を呈することができる。
【００２９】
複数の第三バッグ３は本物の乳房におけるクーパー靭帯７３を模するため、好ましくは複数の線状構造体６により直列に形成される。第三バッグ３の大きさは図に示すとおり均一でもよいし、異なってもよい（図示せず）。従来の乳房用プロテーゼは乳房にインプラントすると外観上乳房の皮膚が緩み胸とバランスが取れず触った時も弾力がないのに対し、本考案の乳房用プロテーゼ１００を乳房にインプラントすると、第三バッグ３が乳房用プロテーゼ１００を本物の乳房に近い立体的かつ緩みのない状態にし、触ったときや押したときに弾力を出すことができる。
【００３０】
複数の第四バッグは本物の乳房における大きい脂肪組織７７および小さい脂肪組織７８を模しており、第四バッグ４の大きさは図に示すとおり均一でもよいし、異なってもよい（図示せず）。乳房用プロテーゼ１００を豊胸する者の乳房にインプラントすると、第四バッグ４が乳房の外観に豊満さを与え、触ったときに柔らかさと弾力を出すことができる。
【００３１】
第一外膜１１、第二外膜２１、第三外膜３１および第四外膜４１の材質はシリカ膜、シリカゲル膜またはポリアクリルアミドゲルであるが、本考案においてはこれらに限定しない。
【００３２】
線状構造６の材料は、ビスマスポリマー、コラーゲンペプチド、ゼラチン、コラーゲン、ゼラチン、アルギン酸ナトリウム、セルロース、多糖類、キチン、ポリ乳酸、ポリ乳酸またはゲルなどの生体材料であるが、本考案においてはこれらに限定しない。
【００３３】
充填物５の材料は塩水、シリコンまたは生理食塩水、ゼリーゼラチン、医療用キトサンゲルなどの生体材料など豊胸用の充填物であるが、本考案においてはこれらに限定しない。また、充填物５は必要に応じ、抗菌剤、糖質コルチコイドなどの抗炎症剤またはカルボキシメチルセルロースなどの増粘剤など他の添加物を加えてもよいが、本考案においてはこれらに限定しない。
【００３４】
図４は本考案の乳房用プロテーゼ１００を乳房にインプラントした際の側面からの断面図である。乳房用プロテーゼ１００を乳房の内部構造にインプラントすると、乳房を支え、かつ大きくし、乳房をより美しく見せることができる。
【００３５】
本考案において、乳房用プロテーゼ１００を胸にインプラントする際は、腋窩、乳輪下縁、乳房下溝、臍などの異なる皮膚の切り口から行うことができる。
【００３６】
本考案において、乳房用プロテーゼ１００を胸にインプラントする際は、乳腺下、大胸筋下、その複合などの異なる位置にインプラントすることができる。
【００３７】
本考案の乳房用プロテーゼは、本物の乳房の内部構造を模しており、人体の乳房にインプラントした際、外観は自然で、運動時も自然に揺れ、触感も塊感や固さを感じることはなく弾力的で、押しても本物の乳房と同様の柔軟さを持つため、従来の乳房用プロテーゼの欠点を改善することができる。
【００３８】
以上、本考案について詳細に説明したが、上述したのはあくまでも一実施形態であり、本考案は更に別の態様でも実施でき、その主旨を逸脱しない範囲で種々変更を加え得るものである。
【符号の説明】
【００３９】
１００  乳房用プロテーゼ
１  第一バッグ
１１  第一外膜
１２  第一空間
１３  天辺
２  第二バッグ
２１  第二外膜
２１１  水滴に類似する形状の先端
２１２  水滴に類似する形状の末端
２２  第二空間
３  第三バッグ
３１  第三外膜
３２  第三空間
４  第四バッグ
４１  第四外膜
４２  第四空間
５  充填物
６  線状構造体
７１  乳頭
７２  乳房の皮膚
７３  クーパー靭帯
７４  乳管
７５  乳腺葉
７６  大胸筋
７７  大きい脂肪組織
７８  小さい脂肪組織
７９  肋骨
【図１】
0003224441.tif 000003
【図２】
0003224441.tif 000004
【図３】
0003224441.tif 000005
【図４】
0003224441.tif 000006